(57)【要約】【課題】回転リールに記された図柄の見やすさを損なうことなく、リール窓の上方における装置スペースの拡張が可能となるスロットマシンの提供。【解決手段】回転リール61の回転軸である駆動軸62をリール窓42の下端縁の高さレベルＡよりも低い高さレベルＢに配置し、リール窓42を通して、駆動軸62に対して斜め上方の部分Ｃを遊技者Ｐに視認させ、リール窓42及び回転リール61の設置位置を下げても、回転リール61の図柄が見えやすいようにする。そして、リール窓42及び回転リール61の設置位置を下方に下げることにより、リール窓42の上方に設置される装置スペース37を拡張し、このようにして装置スペース37を拡張して、回転リール61の図柄の見やすさが損なわれないようにする。【選択図】    図４
2008119093.tif 000002
【特許請求の範囲】
【請求項１】
前面が開口された筐体と、この筐体の前面開口を塞ぐために当該筐体に回動可能に設けられた前扉とを備えたスロットマシンであって、
前記筐体の内部に収納された状態で回転自在に軸支されるとともに、外周面に複数の図柄が記された複数の回転リールと、
前記回転リールの図柄が外部から視認可能となるように、前記前扉に設けられたリール窓とが設けられ、
前記回転リールを回転自在に軸支する回転軸が、前記リール窓の下端縁よりも低い高さレベルに配置されていることを特徴とするスロットマシン。
【請求項２】
前記回転リールは、前記回転軸の高さレベルよりも上方となる部分が前記リール窓を通して外部から視認できるものであることを特徴とする請求項１記載のスロットマシン。
【請求項３】
前記リール窓は、当該リール窓の開口を塞ぐ透明平板部を備えたものであり、
前記透明平板部は、下端縁が上端縁よりも前記筐体の前方へ迫り出した状態で配置され、前面全体が斜め上向きとなるように傾斜して設置されたものであることを特徴とする請求項１又は２記載のスロットマシン。
【請求項４】
前記リール窓の上方に、動画を含む様々な画像を表示可能な表示装置が設けられていることを特徴とする請求項１から請求項３までのいずれかに記載のスロットマシン。
【請求項５】
前記表示装置は、その画面の上端縁が下端縁よりも前記筐体の前方へ迫り出した状態で配置され、その画面全体が斜め下向きとなるように傾斜して設置されたものであることを特徴とする請求項４記載のスロットマシン。
【発明の詳細な説明】
【技術分野】
【０００１】
本発明は、外周面に複数の図柄が記されるとともに、筐体の内部に収納された状態で回転自在に軸支される複数の回転リールを備えたスロットマシンに関する。
【背景技術】
【０００２】
従来から、人々に娯楽を提供するための手段として、複数種類の図柄が記された複数の回転リールが回転駆動可能に設けられたスロットマシンが利用されている。このようなスロットマシンでは、遊技者がメダルを投入して遊技を開始した後、ストップボタンを押圧操作し、回転駆動させた複数の回転リールを適宜停止させ、これらの回転リールに表示された図柄が特定の組合せとなったときに入賞となる。そして、入賞すると、入賞した役に応じた数のメダルがスロットマシンから払い出されることとなる。
また、今日のスロットマシンは、その画面に様々な映像の表示が可能となった液晶パネル式表示装置等の表示装置が、その前扉に取り付けられたものが一般的となっている。このような表示装置を備えていれば、遊技中に様々な情報を遊技者に提供できるうえ、遊技者が入賞した際に、入賞役の演出に最適な画像を表示でき、遊技者をさらに遊技に没入させることが可能となる。
【０００３】
そして、表示装置は、リール窓の上方あるいは側方に配置されるが、リール窓の上方のほうが側方よりも設置スペースに余裕があるため、リール窓の上方に設置すれば、リール窓の側方には設置できない大きな画面サイズの表示装置でも設置することができる。
このようなスロットマシンは、回転リール等の遊技用装置を内部に収納するために、前面が開口された筐体を備え、この筐体に回動可能に取り付けられた前扉で、当該筐体の開口を閉鎖している。前扉には、回転リールの図柄を外部から視認できるようにするリール窓が設けられており、遊技者は、リール窓を通して回転リールの図柄を視認することができるようになっている。
【０００４】
ここで、リール窓は、当該スロットマシンで遊技を行う遊技者の眼の位置より若干下方となる高さレベルに配置されている。
また、回転リールは、回転自在に軸支する回転軸がリール窓の下端縁の高さレベルよりも高い位置に配置され、回転リールの前方を向いた前面部分がリール窓を通して外部から視認されるようになっている。
このような高さレベルにリール窓及び回転リールを配置したので、遊技者は、視線を僅かに下げた状態で、回転リールの周面に記された図柄を視認でき、遊技者に図柄を見やすくすることができる（例えば、特許文献１参照）。
【特許文献１】特開２００５−３０４７４６号（図５）
【発明の開示】
【発明が解決しようとする課題】
【０００５】
このようなスロットマシンでは、回転リールの図柄の見やすさが重要であることから、リール窓及び回転リールを小型化したり、リール窓及び回転リールの設置位置を下方に下げたりすることは、図柄の見やすさを損なうので行うことができない。
このため、前扉の前面面積を拡張せずに、リール窓の上方に設置される表示装置や役物等の装置スペースを拡張しようとすると、リール窓及び回転リールを小型化する、若しくは、その設置位置を下げる必要があるので、リール窓の上方の装置スペースを拡張することができない、という問題がある。従って、表示装置や役物等の演出用装置のサイズの大型化が困難となっている。
【０００６】
そこで、各請求項にそれぞれ記載された各発明は、上記した背景技術の有する問題点に鑑みてなされたものであり、その目的とするところは、回転リールに記された図柄の見やすさを損なうことなく、リール窓の上方における装置スペースの拡張が可能となるスロットマシンを提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、前面が開口された筐体(20)と、この筐体(20)の前面開口を塞ぐために当該筐体(20)に回動可能に設けられた前扉(30)とを備えたスロットマシン(10)であって、前記筐体(20)の内部に収納された状態で回転自在に軸支されるとともに、外周面に複数の図柄が記された複数の回転リール(61)と、前記回転リール(61)の図柄が外部から視認可能となるように、前記前扉(30)に設けられたリール窓(42)とが設けられ、前記回転リール(61)を回転自在に軸支する回転軸(62)が、前記リール窓(42)の下端縁よりも低い高さレベルに配置されていることを特徴とするものである。
【０００８】
（請求項２）
（特徴点）
請求項２記載の発明は、前述した請求項１に記載の発明において、次の特徴点を備えているものである。
すなわち、請求項２記載の発明は、前記回転リール(61)として、前記回転軸(62)の高さレベルよりも上方となる部分が前記リール窓(42)を通して外部から視認できる前記回転リール(61)が採用されていることを特徴とする。
（請求項３）
（特徴点）
請求項３記載の発明は、前述した請求項１又は２記載の発明において、次の特徴点を備えているものである。
【０００９】
すなわち、請求項３記載の発明は、前記リール窓(42)が、当該リール窓(42)の開口を塞ぐ透明平板部(43)を備えたものであり、前記透明平板部(43)は、下端縁(43A) が上端縁(43B) よりも前記筐体(20)の前方へ迫り出した状態で配置され、前面(43C) 全体が斜め上向きとなるように傾斜して設置されたものであることを特徴とする。
（請求項４）
（特徴点）
請求項４記載の発明は、前述した請求項１から請求項３までのいずれかに記載の発明において、次の特徴点を備えているものである。
【００１０】
すなわち、請求項４記載の発明は、前記リール窓(42)の上方に、動画を含む様々な画像を表示可能な表示装置(63)が設けられていることを特徴とする。
ここで、表示装置(63)としては、液晶パネルを備えた液晶表示装置、陰極線管を備えたＣＲＴ表示装置、有機ＥＬ素子等の発光素子を多数備えたＥＬ表示装置、及び、プラズマで発光する蛍光画素を多数備えたプラズマ表示装置等の表示装置が採用できる。
（請求項５）
（特徴点）
請求項５記載の発明は、前述した請求項４記載の発明において、次の特徴点を備えているものである。
【００１１】
すなわち、請求項５記載の発明は、前記表示装置(63)が、その画面(63A) の上端縁(63B) が下端縁(63C) よりも前記筐体(20)の前方へ迫り出した状態で配置され、前記表示装置(63)の画面(63A) 全体が斜め下向きとなるように傾斜して設置されていることを特徴とする。
【発明の効果】
【００１２】
（請求項１の効果）
以上のように構成されている本発明は、以下に記載されるような効果を奏する。
すなわち、請求項１記載の発明によれば、回転リールの回転軸がリール窓の下端縁よりも低い高さレベルに配置され、これにより、回転リールは、回転軸よりも上方の部分、例えば、回転軸に対して斜め上方の部分がリール窓を通して遊技者に視認されるようになるので、遊技者が回転リールの周面に記された図柄を視認するにあたり、回転リールを見下ろすようにした方が、図柄がより見やすくなる。
このため、リール窓及び回転リールの設置位置を下方に下げて、遊技者が回転リールを見下ろすようにすれば、図柄がより見やすくなるうえ、リール窓及び回転リールの設置位置が下方に下がれば、リール窓の上方に設置される表示装置や役物等の装置スペースが拡張されることとなる。
【００１３】
従って、リール窓及び回転リールの設置位置を下方に下げることにより、リール窓の上方に設置される表示装置や役物等の装置スペースを拡張することができるうえ、このようにして、リール窓上方の装置スペースを拡張しても、図柄の見やすさが何ら損なわれることがなく、これにより、前記目的が達成される。
（請求項２の効果）
請求項２記載の発明によれば、上記した請求項１記載の発明の効果に加え、次のような効果を奏する。
すなわち、請求項２記載の発明によれば、回転リールの回転軸よりも上方となる部分を外部から視認できるようにするリール窓を形成するにあたり、リール窓を、回転リールの回転軸よりも上方となる部分に沿って傾斜させることができる。リール窓を傾斜させると、リール窓の設置に必要となる高さ寸法が縮小されるので、垂直の状態から傾斜させた分だけリール窓の高さ寸法を小さくできる。
【００１４】
このため、リール窓の高さ方向の寸法が小さくなった分だけ、リール窓の上方の空きスペースが拡張されるので、この点からも、リール窓の上方に設置される表示装置や役物等の装置スペースを拡張することができる。
また、スロットマシンの回転リールは、一般的に、遊技者の目の高さ位置よりも低い位置にあるので、遊技者が回転リールの図柄を見るときは、回転リールを見下ろすこととなる。ここで、回転リールの回転軸よりも上方となる部分がリール窓を通して外部から視認できるようにしたので、遊技者が回転リールを見下ろすと、遊技者の視線と図柄の表示面とがなす角度がほぼ直角となる、換言すると、遊技者が図柄を見る角度がほぼ直角となる。これにより、図柄を見る角度が傾斜してしまう従来のスロットマシンよりも、図柄の視認性を著しく向上でき、遊技を行う遊技者にとって図柄を見やすいものにすることができる。
【００１５】
（請求項３の効果）
請求項３記載の発明によれば、上記した請求項１又は２記載の発明の効果に加え、次のような効果を奏する。
すなわち、請求項３記載の発明によれば、リール窓の開口を塞ぐ透明平板部が傾斜して設置されるので、同じ面積の透明平板部を垂直に設置する場合よりも傾斜した分だけ透明平板部の高さ方向の寸法を小さくでき、この点からも、リール窓の上方に設置される表示装置や役物等の装置スペースを拡張することができる。
また、遊技者が回転リールの図柄を見るにあたり、遊技者が図柄を見下ろすので、遊技者の視線と透明平板部の表面とが形成する角度が直角に近づくようになり、これにより、透明平板部の表面における反射や、透明平板部を通して見る際の歪みの影響が少なくなり、回転リールの図柄をより見やすくすることができる。
【００１６】
（請求項４の効果）
請求項４記載の発明によれば、上記した請求項１から請求項３までのいずれかに記載の発明の効果に加え、次のような効果を奏する。
すなわち、請求項４記載の発明によれば、リール窓の上方の装置スペースに表示装置が設置されるので、装置スペースの拡大により、表示装置の画面サイズを従来よりも大きなものとでき、当該表示装置による演出の効果を高めることができる。
（請求項５の効果）
請求項５記載の発明によれば、上記した請求項４記載の発明の効果に加え、次のような効果を奏する。
【００１７】
すなわち、請求項５記載の発明によれば、表示装置の画面が傾斜して設置されるので、同じ面積の画面を垂直に設置する場合よりも傾斜した分だけ表示装置に備えられている画面の高さ方向の寸法を小さくでき、この点からも、リール窓の上方に設置される表示装置の画面を拡張することができる。
また、遊技者が表示装置の画面を見るにあたり、遊技者が画面を見上げるので、遊技者の視線と表示装置の画面とが形成する角度が直角に近づくようになり、画面表面における反射や、画面の表示される画像の歪みの影響が少なくなり、表示装置の画面をより見やすくすることができる。
【発明を実施するための最良の形態】
【００１８】
以下に、本発明を実施するための最良の形態である一実施形態について、図面に基づいて説明する。
図１及び図２は、本実施形態を示すものである。図１は、本実施形態に係るスロットマシンを示す正面図、図２は、本実施形態に係るスロットマシンを示す断面図である。
本実施形態に係るスロットマシン10は、図１及び図２の如く、前面が開口された略六面体の箱状に形成された筐体20を備えている。この筐体20は、横並びにされた３個の回転リール61等の遊技用装置を収納するものとなっている。
回転リール61の各々は、それぞれの外周面に複数種類の図柄が記された円筒状の部材である。これらの回転リール61は、六面体状に形成された図示しない支持フレームに回転自在に支持されている。更に詳しく説明すると、支持フレームには、３個の回転リール61をそれぞれ回転駆動する図示しない３個のステッピングモータが設けられている。そして、回転リール61の各々は、対応するステッピングモータの駆動軸62(図２にのみ示す)に取り付けられ、これにより、筐体20の内部に収納された状態で、図示しない支持フレームに回転自在に軸支されている。
【００１９】
筐体20には、その前面に形成された開口を塞ぐための前扉30が回動可能に設けられている。この前扉30のほぼ中央には、前扉30の裏側に配置された回転リール61に記された図柄を外部から視認できるようにするリール窓42が設けられている。そして、このリール窓42は、３個すべての回転リール61の回転が停止した際に、縦横３個ずつ配列された計９個の図柄が表示できる大きさに形成されている。
ここで、回転リール61を回転自在に軸支する回転軸である駆動軸62は、図２の如く、リール窓42の下端縁の高さレベルＡよりも低い高さレベルＢに配置されている。
これにより、回転リール61は、駆動軸62の高さレベルよりも上方となる部分Ｃがリール窓42を通して外部から視認できるようになっている。
【００２０】
また、リール窓42は、図２の如く、当該リール窓42の開口を塞ぐ透明平板部43を備えている。この透明平板部43は、下端縁43A が上端縁43B よりも筐体20の前方へ迫り出した状態で配置され、前面43C 全体が斜め上向きとなるように傾斜して設置されている。
リール窓42の上方には、図１及び図２の如く、動画を含む様々な画像を表示可能な液晶パネル式表示装置等の薄型表示装置63が設けられている。
この薄型表示装置63は、図２の如く、その画面63A の上端縁63B が下端縁63C よりも僅かに筐体20の前方へ迫り出した状態で配置され、その画面63A 全体が僅かに斜め下向きとなるように傾斜して設置されている。
【００２１】
図１に戻って、薄型表示装置63の両側には、演出音等を発するスピーカ64がそれぞれ設けられている。また、薄型表示装置63の上方には、入賞時などに点滅する演出用ランプ部65が設けられている。
リール窓42の下方には、図１の如く、遊技者が遊技操作を行うために、複数種類のスイッチ31〜33が設けられている。すなわち、リール窓42の下方には、図１において左側から、貯留メダルを１枚ずつ投入するためのベットスイッチ31A と、回転リール61の回転を開始させるためのスタートスイッチ32と、貯留メダルを３枚投入するためのマックス・ベットスイッチ31B と、３個の回転リール61の回転をそれぞれ停止させる３個のストップスイッチ33とが設けられている。
【００２２】
そして、３個のストップスイッチ33のうち、図１中右端のストップスイッチ33の右斜め上方には、メダルが投入されるメダル投入口34が設けられている。
また、前扉30の下部には、入賞時に払い出されるメダルが排出される払出口35が設けられている。この払出口35の下方には、払出口35から払い出されたメダルを貯留するための受け皿36が設けられている。
次に、従来のスロットマシン90と比較しながら、本実施形態に係るスロットマシン10について説明する。
従来のスロットマシン90は、図３(Ａ)及び図４(Ａ)に示すように、周面に複数種類の図柄が記された３個の回転リール91を、箱状に形成された筐体92の内部に収納したものとなっている。筐体92は、前面が開口された六面体状となっており、この筐体92には、前面の開口を閉鎖する前扉93が回動可能に取り付けられている。そして、前扉93には、筐体92の内部に収納された３個の回転リール91の図柄が外側から視認できるように、リール窓94が形成されている。
【００２３】
リール窓94の上方には、動画を含む様々な画像を表示可能な液晶パネル式表示装置等の薄型表示装置95が設けられている。
ここで、回転リール91の各々は、図示しないステッピングモータの駆動軸96 (図４(Ａ)のみに示す。) に取り付けられている。これにより、駆動軸96は、回転リール91を回転自在に軸支する回転軸となっている。
そして、回転リール91を回転自在に軸支する駆動軸96は、リール窓94の下端縁の高さレベルＤよりも高い高さレベルＥに配置されている。
このような高さレベルＥに駆動軸96が配置されている回転リール91は、図４(Ａ)に示すように、駆動軸96の高さレベルＥとほぼ同じ高さレベルとなる前方部分Ｆが、リール窓94を通して遊技者Ｐに視認されるようになっている。そして、この前方部分Ｆは、スロットマシン90の前方を向いた範囲となっており、視認角度範囲(駆動軸96となす中心角の角度)αが約６０度となっている。
【００２４】
一方、本実施形態に係るスロットマシン10は、図３(Ｂ)及び図４(Ｂ)に示すように、回転リール61を回転自在に軸支する駆動軸62が、リール窓42の下端縁の高さレベルＡよりも低い高さレベルＢに配置されている。これにより、スロットマシン10は、スロットマシン90に比べて、回転リール61の取付位置が全体的に低くなっている。
これにより、スロットマシン10は、図３に示すように、前扉30の前面におけるリール窓42よりも上方に形成されている装置スペース37が拡大されている。換言すると、スロットマシン10の装置スペース37は、従来のスロットマシン90の装置スペース97よりも広いものとなっている。
【００２５】
そして、スロットマシン10の装置スペース37に設置された薄型表示装置63は、従来のスロットマシン90の装置スペース97に設置された薄型表示装置95と比べると、従来のスロットマシン90の薄型表示装置95よりも画面サイズが大きいものとなっている。
また、スロットマシン10の回転リール61は、図４(Ｂ)に示すように、駆動軸62の高さレベルよりも上方となる部分Ｃが、リール窓42を通して遊技者Ｐに視認されるようになっている。そして、この部分Ｃは、スロットマシン10の前側の斜め上方を向いた範囲となっており、視認角度範囲(駆動軸62となす中心角の角度)βが約６０度となっている。
この視認角度範囲βと、スロットマシン90の視認角度範囲αと比べると、図４に示すように、視認角度範囲αが前方を向いているのに対して、視認角度範囲βが前側の斜め上方を向いている点が相違しているが、ともに中心角が約６０度となっており、視認できる範囲としては、ほぼ同じ広さを有するものとなっている。
【００２６】
ここで、リール窓42の位置は、所定の位置に設定された遊技者Ｐの視点（眼の位置）から回転リール61を見たときに、リール窓42を通じて３個の図柄が視認でき、且つ、３個の図柄のうち、中央の図柄の中心線とリール窓42の中心線とが一致するように設定されている。
また、視認角度範囲βは、回転リール61に記されている３個の図柄によって占有される範囲となっている。従って、視認角度範囲βは、回転リール61の大きさ、１個の回転リール61に記された図柄の総数、図柄のサイズ、及び、図柄の間隔等によって相違するものとなっているが、５０〜７０度の範囲で設定されるのが一般的である。
【００２７】
さらに、視認リール窓42に設けられている透明平板部43は、回転リール61の図柄に向けられた遊技者Ｐの視線γが、当該透明平板部43の前面43C と直角に交差するように、所定の傾斜角度を付けて設置されている。
前述のような本実施形態によれば、次のような効果が得られる。
すなわち、回転リール61の回転軸である駆動軸62をリール窓42の下端縁の高さレベルＡよりも低い高さレベルＢに配置し、これにより、回転リール61の駆動軸62よりも上方の部分Ｃ、換言すると、駆動軸62に対して斜め上方の部分Ｃがリール窓42を通して遊技者Ｐに視認されるようにしたので、遊技者Ｐが回転リール61の周面に記された図柄を視認するにあたり、回転リール61を見下ろすようにした方が、図柄がより見やすくなる。
【００２８】
このため、リール窓42及び回転リール61の設置位置を下方に下げて、リール窓42上方の装置スペース37を拡張しても、回転リール61の図柄が見難くなることがない。
従って、リール窓42及び回転リール61の設置位置を下方に下げることにより、リール窓42の上方に設置される装置スペース37を拡張することができるうえ、このようにして、リール窓42上方の装置スペース37を拡張しても、回転リール61の図柄の見やすさが何ら損なわれることがない。
また、回転リール61の回転軸である駆動軸62よりも上方となる部分Ｃを外部から視認できる位置にリール窓42を形成し、且つ、回転リール61における駆動軸62よりも上方の部分Ｃに沿ってリール窓42を傾斜させて形成したので、リール窓42を垂直に形成した場合よりも、傾斜した分だけリール窓42の高さ方向寸法を小さくできる。
【００２９】
このため、リール窓42の高さ方向の寸法が小さくなった分だけ、リール窓42の上方の装置スペース37が広がるので、この点からも、リール窓42の上方に形成される装置スペース37を拡張することができる。
さらに、リール窓42の開口を塞ぐ透明平板部43を傾斜して設置したので、同じ面積の透明平板部43を垂直に設置する場合よりも傾斜した分だけ透明平板部43の高さ方向の寸法を小さくでき、この点からも、リール窓42の上方に形成される装置スペース37を拡張することができる。
ここで、回転リール61の図柄は、遊技者Ｐが見下ろす位置に配置されているので、透明平板部43を通して回転リール61の図柄を視認する際に、遊技者Ｐの視線と透明平板部43の表面とが形成する角度が直角に近づき、これにより、透明平板部43の表面における反射や、透明平板部43を通して視認する際の図柄の歪みの影響が少なくなり、回転リール61の図柄をより見やすくすることができる。
【００３０】
また、リール窓42の上方の装置スペース37が拡大されているので、装置スペース37に設置される薄型表示装置63の画面サイズを従来よりも大きなものとでき、薄型表示装置63の画面サイズ拡大により、当該薄型表示装置63による演出の効果を高めることができる。
さらに、その画面を僅かに傾斜させた状態で薄型表示装置63を設置したので、同じ面積の画面を垂直に設置する場合よりも傾斜した分だけ薄型表示装置63に備えられている画面の高さ方向の寸法を小さくでき、この点からも、リール窓42の上方に設置される薄型表示装置63の画面を拡張することができる。
ここで、薄型表示装置63の画面は、遊技者Ｐが僅かに見上げる位置に配置されているので、薄型表示装置63の画面を視認する際に、遊技者Ｐの視線と薄型表示装置63の画面とが形成する角度が直角に近づき、これにより、薄型表示装置63の画面における反射の影響が少なくなり、薄型表示装置63の画面をより見やすくすることができる。
【００３１】
なお、本発明は、前記実施形態に限定されるものではなく、本発明の目的を達成できる範囲における変形及び改良などをも含むものである。
例えば、スロットマシンの装置スペースに設置される装置類としては、液晶表示装置等の薄型表示装置に限らず、ドットマトリックス式の表示装置、自動的に手足等が動く人形であるオートマトンを備えた装置としての演出役物、及び、スロットマシンの名称やキャラクターのイラストが描かれたパネルのいずれでもよく、要するに、装置スペースには、スロットマシンの遊技を盛り上げるため、あるいは、スロットマシンの外観を向上するため等、所定の目的を達成するのに必要なものを設けることができる。
【図面の簡単な説明】
【００３２】
【図１】本発明の一実施形態に係るスロットマシンを示す正面図である。
【図２】前記実施形態に係るスロットマシンを示す断面図である。
【図３】前記実施形態を従来例と比較するための正面図である。
【図４】前記実施形態を従来例と比較するための断面図である。
【符号の説明】
【００３３】
10  スロットマシン
20  筐体
30  前扉
42  リール窓
43  透明平板部
43A 透明平板部の下端縁
43B 透明平板部の上端縁
43C 透明平板部の前面
61  回転リール
62  回転軸としての駆動軸
63  表示装置としての薄型表示装置
63A 表示装置の画面
63B 表示装置の上端縁
63C 表示装置の下端縁
【図１】
2008119093.tif 000003
【図２】
2008119093.tif 000004
【図３】
2008119093.tif 000005
【図４】
2008119093.tif 000006